(57)【特許請求の範囲】
【請求項１】
着脱可能な撮影光学系と、
前記撮影光学系からの光学像を撮像する撮像素子と、
前記光学像が前記撮像素子へ導かれることを禁止する第１の位置と、前記光学像が前記撮像素子へ導かれることを許容する第２の位置との間を移動するミラー部材と、
前記第１の位置で前記ミラー部材を待機させ撮影指示に応じて前記第２の位置へ前記ミラー部材を移動させ静止画像を撮像し、当該撮像後は再び前記第１の位置へ前記ミラー部材を移動させ再び待機する静止画撮影モードと、動画撮影指示に応じて前記ミラー部材を第２の位置へ移動させ、当該第２の位置を維持した状態で前記撮像素子が撮像を繰り返す動画撮影を行う動画撮影モードとを切り替えるモード切替手段と、
前記モード切替手段により前記動画撮影モードが選択され、かつ動画撮影中に、該動画撮影の停止を指示する動画撮影停止指示部材と、
前記動画撮影中において前記動画撮影停止指示部材の操作とは異なる要因に応じて動画撮影を続行することが不可能な状態を判定する判定手段と、
前記判定手段が動画撮影中に前記続行不可能な状態を判定した場合、少なくとも前記ミラー部材を前記第１の位置へ移動させるとともに、前記動画撮影を停止させる制御手段とを備えることを特徴とする一眼レフ電子カメラ。
【請求項２】
請求項１に記載の一眼レフ電子カメラにおいて、
前記判定手段は、外部機器と接続された場合又は前記撮影光学系が取り外された場合に動画撮影を続行することが不可能な状態と判定を行うことを特徴とする一眼レフ電子カメラ。
【請求項３】
請求項１に記載の一眼レフ電子カメラにおいて、
前記判定手段は、電池残量又は記録媒体の残容量が所定値以下の場合に動画撮影を続行することが不可能な状態と判定を行うことを特徴とする一眼レフ電子カメラ。
【請求項４】
請求項３に記載の電一眼レフ子カメラにおいて、
前記ミラー部材制御手段が前記第１の位置へミラー部材を移動させる前に、前記判定手段が前記続行不可能な状態を判定したことを示す表示を行う表示手段をさらに備えることを特徴とする一眼レフ電子カメラ。
【請求項５】
請求項４に記載の一眼レフ電子カメラにおいて、
前記判定手段が記録媒体の残容量の低下に応じて前記判定を行った場合、前記表示手段は、当該残容量に応じた予想動画撮影時間を表示することを特徴とする一眼レフ電子カメラ。
【請求項６】
請求項４に記載の一眼レフ電子カメラにおいて、
前記判定手段が電池の残容量の低下に応じて前記判定を行った場合、前記制御手段は、前記ミラー部材を前記第１の位置へ移動させるために必要な容量を残して前記動画撮影を停止させることを特徴とする一眼レフ電子カメラ。
【発明の詳細な説明】
【技術分野】
【０００１】
本発明は、電子画像を取得する電子カメラに関する。
【背景技術】
【０００２】
一眼レフタイプの電子カメラで動画撮影を行う技術が知られている（特許文献１参照）。特許文献１によれば、静止画撮影を行う場合の電子カメラは、撮影開始操作に応じてクイックリターンミラーが回動され、当該ミラーの位置が被写体光束の光路から退避された（ミラーアップ）状態で撮像素子が露光される。クイックリターンミラーの位置は、露光後に光路上へ戻される（ミラーダウン）。動画撮影を行う場合の電子カメラは、撮影開始操作に応じてミラーアップされた状態が撮影停止操作が行われるまで継続される。ミラーアップ状態のまま動画撮影を停止する動作と、ミラーダウンさせてから動画撮影を停止する動作とが、設定により選択可能に構成される。
【０００３】
【特許文献１】特開２００４−１０９８３１号公報
【発明の開示】
【発明が解決しようとする課題】
【０００４】
特許文献１では、撮影停止操作が行われてから動画撮影を停止する場合の動作が開示されているだけで、撮影停止操作が行われる前に動画撮影の続行が不可能になる場合のクイックリターンミラーの制御に関して開示はなく、不都合が生じるおそれがある。
【課題を解決するための手段】
【０００５】
請求項１の一眼レフ電子カメラは、着脱可能な撮影光学系と、前記撮影光学系からの光学像を撮像する撮像素子と、前記光学像が前記撮像素子へ導かれることを禁止する第１の位置と、前記光学像が前記撮像素子へ導かれることを許容する第２の位置との間を移動するミラー部材と、前記第１の位置で前記ミラー部材を待機させ撮影指示に応じて前記第２の位置へ前記ミラー部材を移動させ静止画像を撮像し、当該撮像後は再び前記第１の位置へ前記ミラー部材を移動させ再び待機する静止画撮影モードと、動画撮影指示に応じて前記ミラー部材を第２の位置へ移動させ、当該第２の位置を維持した状態で前記撮像素子が撮像を繰り返す動画撮影を行う動画撮影モードとを切り替えるモード切替手段と、前記モード切替手段により前記動画撮影モードが選択され、かつ動画撮影中に、該動画撮影の停止を指示する動画撮影停止指示部材と、前記動画撮影中において前記動画撮影停止指示部材の操作とは異なる要因に応じて動画撮影を続行することが不可能な状態を判定する判定手段と、前記判定手段が動画撮影中に前記続行不可能な状態を判定した場合、少なくとも前記ミラー部材を前記第１の位置へ移動させるとともに、前記動画撮影を停止させる制御手段とを備えることを特徴とする。
請求項２の一眼レフ電子カメラは、請求項１に記載の一眼レフ電子カメラにおいて、前記判定手段は、外部機器と接続された場合又は前記撮影光学系が取り外された場合に動画撮影を続行することが不可能な状態と判定を行うことを特徴とする。
請求項３の一眼レフ電子カメラは、請求項１に記載の一眼レフ電子カメラにおいて、前記判定手段は、電池残量又は記録媒体の残容量が所定値以下の場合に動画撮影を続行することが不可能な状態と判定を行うことを特徴とする。
請求項４の一眼レフ電子カメラは、請求項３に記載の電一眼レフ子カメラにおいて、前記ミラー部材制御手段が前記第１の位置へミラー部材を移動させる前に、前記判定手段が前記続行不可能な状態を判定したことを示す表示を行う表示手段をさらに備えることを特徴とする。
請求項５の一眼レフ電子カメラは、請求項４に記載の一眼レフ電子カメラにおいて、前記判定手段が記録媒体の残容量の低下に応じて前記判定を行った場合、前記表示手段は、当該残容量に応じた予想動画撮影時間を表示することを特徴とする。
請求項６の一眼レフ電子カメラは、請求項４に記載の一眼レフ電子カメラにおいて、前記判定手段が電池の残容量の低下に応じて前記判定を行った場合、前記制御手段は、前記ミラー部材を前記第１の位置へ移動させるために必要な容量を残して前記動画撮影を停止させることを特徴とする。
【発明の効果】
【０００６】
本発明によれば、動画撮影の続行が不可能な場合、ミラーダウンした状態で動画撮影を停止する電子カメラを提供できる。
【発明を実施するための最良の形態】
【０００７】
以下、図面を参照して本発明を実施するための最良の形態について説明する。図１は、本発明の一実施形態による一眼レフ電子カメラを説明する図である。図１において、カメラボディ１０に交換可能な撮影レンズ５０がレンズマウント３０を介して装着されている。撮影レンズ５０には、レンズ光学系５１、フォーカスモータ５２、および絞りユニット５３が含まれる。
【０００８】
被写体からの光は、撮影レンズ５０のレンズ光学系５１および絞りユニット５３を介してカメラボディ１０へ入射される。フォーカスモータ５２は、カメラボディ１０からのフォーカス調節信号に応じてフォーカスレンズを光軸方向（図において左右方向）に進退駆動する。
【０００９】
カメラボディ１０には、メインミラー１１と、サブミラー１２と、測距ユニット１３と、シャッター１４と、光学フィルタ１５と、撮像素子１６と、外部液晶１７と、ペンタプリズム１８と、ファインダ液晶１９と、測光ユニット２０と、接眼光学系２１とを有する。
【００１０】
撮影レンズ５０からカメラボディ１０に入射された被写体光束は、レリーズ前は光路Ｌ上に位置する（ポジションＡ）クイックリターンミラー（以下メインミラーと呼ぶ）１１により上方へ導かれて拡散スクリーン（不図示）に結像するとともに、被写体光束の一部はサブミラー１２で下方に反射されて測距ユニット１３にも結像する。拡散スクリーンに結像した被写体光束はさらに、ペンタプリズム１８へ入射される。ペンタプリズム１８は、入射された被写体光束を接眼光学系２１へ導く一方、その一部を測光ユニット２０へも導く。
【００１１】
レリーズ後はメインミラー１１が上方へ回動して光路外へ退避し（ポジションＢ）、被写体光束はシャッター１４を介して撮影用の撮像素子１６へ導かれる。撮像素子１６の撮像面には、不要な空間周波数成分を除去する光学フィルタ１５が配設されている。
【００１２】
外部液晶表示器（外部液晶と呼ぶ）１７は、撮影画像などを再生表示する。ファインダ内液晶表示器（ファインダ液晶と呼ぶ）１９は、ファインダ内に示す情報を表示する。ハーフミラー２２は、ファインダ液晶１９による表示光を、接眼光学系２１へ導かれる被写体光束と合成する。これにより、接眼光学系２１を通して被写体像とファインダ内表示情報とが観察可能に構成される。
【００１３】
図２は、図１の一眼レフ電子カメラの構成を説明するブロック図である。システム制御部１０１はマイクロコンピュータなどによって構成される。システム制御部１０１は、後述する各ブロックから出力される信号を入力して所定の演算を行い、演算結果に基づく制御信号を各ブロックへ出力する。
【００１４】
半押しスイッチＳＷ１および全押しスイッチＳＷ２は、レリーズボタン（不図示）の押下操作に連動して、それぞれがオン信号をシステム制御部１０１へ出力する。スイッチＳＷ１からのオン信号は、レリーズボタンが通常ストロークの半分程度まで押し下げ操作されると出力され、半ストロークの押し下げ操作解除で出力が解除される。スイッチＳＷ２からのオン信号は、レリーズボタンが通常ストロークまで押し下げ操作されると出力され、通常ストロークの押し下げ操作が解除されると出力が解除される。
【００１５】
動画・静止画選択操作部材１０５は、選択操作に応じて、動画撮影モードもしくは静止画撮影モードへのモード選択信号をシステム制御部１０１へ出力する。撮影情報設定操作部材１０４は、設定操作に応じて、撮像感度（ＩＳＯ感度）、露出演算モード（プログラムオート、絞り優先オート、シャッター速度優先オート等）の設定信号をシステム制御部１０１へ出力する。
【００１６】
測光制御演算部１０３（図１の測光ユニット２０に対応）は、測光センサによる検出信号を用いて被写体輝度を算出する。測光制御演算部１０３はさらに、設定されている撮像感度、後述するレンズ情報、および算出した被写体輝度を用いて周知の露出演算を行い、制御露出を決定する。露出演算モードは、撮影情報設定操作部材１０４からの設定信号に対応する露出演算モードで行う。
【００１７】
測距制御演算部１０２（図１の測距ユニット１３に対応）は、測距センサによる検出信号を用いて撮影レンズ５０による焦点調節状態（デフォーカス量）を検出し、検出結果に応じてフォーカスレンズの移動量を算出する。フォーカスレンズの移動量を示す信号は、システム制御部１０１および通信インターフェイス１０６を介して撮影レンズ５０へ送信される。
【００１８】
通信インターフェイス１０６は、レンズマウント３０に装着されている撮影レンズ５０側の通信インターフェイス５０５との間で通信を行う。カメラボディ１０および撮影レンズ５０間の通信により、絞り値やレンズデータなどのレンズ情報が撮影レンズ５０からカメラボディ１０へ送信される一方、上記フォーカスレンズの移動量や動作コマンドなどのレンズ制御情報がカメラボディ１０から撮影レンズ５０へ送信される。
【００１９】
シャッター制御部１０７は、システム制御部１０１から送出される指示に応じてシャッター装置（不図示）のチャージおよび駆動制御を行う。ミラー制御部１０８は、システム制御部１０１から送出される指示に応じて、メインミラー１１のミラーアップ（図１においてポジションＢで示す位置へ退避させる）駆動、およびミラーダウン（図１においてポジションＡで示す位置へ復帰させる）駆動を制御する。
【００２０】
電源部１０９は、システム制御部１０１からの指示によりオン／オフされ、オン時にカメラボディ１０および撮影レンズ５０の各部へ電力を供給する。なお、システム制御部１０１には、電源部１０９のオン／オフ状態にかかわらず、電池（不図示）が装填されると常に電源が供給されるように構成されている。
【００２１】
撮像素子１６は、たとえばＣＣＤイメージセンサなどで構成される。撮像素子１６は撮影レンズ５０から導かれた被写体像を撮像し、撮像信号をＡＦＥ回路１１３へ出力する。撮像素子１６は、ドライバ回路１１４から出力される駆動信号によって所定の動作タイミングで駆動される。ＡＦＥ(Analog Front End)回路１１３はＡ／Ｄ変換回路を含み、撮像素子１６から出力される光電変換信号（蓄積電荷）に対するアナログ処理（ゲインコントロールなど）を行うとともに、アナログ処理後のアナログ撮像信号をディジタル信号に変換する。
【００２２】
画像処理部１１２はＡＳＩＣなどによって構成される。画像処理部１１２は、システム制御部１０１からの指示によりディジタル変換後の画像データにホワイトバランス処理などの画像処理を行う他、画像処理後の画像データを所定の形式で圧縮する圧縮処理、圧縮された画像データを伸長する伸長処理などを行う。また、画像処理部１１２は、外部液晶１７およびファインダ液晶１９に表示するための表示データを生成する。外部液晶１７には、画像処理部１１２で画像処理された撮影画像が表示される。ファインダ液晶１９には、設定されている露出演算モード、撮像感度、シャッター速度、絞り値などの撮影情報を表示する。
【００２３】
記録媒体６０は、たとえば、メモリカードなどのデータストレージ部材によって構成される。画像記録部１１１は、画像処理部１１２からの指示により、記録媒体６０に撮影画像のデータを保存したり、記録媒体６０に保存しているデータを読み出すことが可能である。残容量演算部１１０は、新たにデータ保存が可能な記録媒体６０の空き容量（残容量と呼ぶ）を算出する。
【００２４】
撮像制御部１１５は、ドライバ回路１１４へ駆動信号の切り替えを指示する。これにより、ドライバ回路１１４は、動画撮影時には動画撮影用の駆動信号を、静止画撮影時には静止画撮影用の駆動信号を、それぞれ撮像素子１６へ供給する。撮像制御部１１５はさらに、後述する画像バッファメモリ（以後画像バッファと呼ぶ）１１６に対するデータの記録および読み出しを管理する。画像処理部１１２によって画像処理される前、画像処理された後、および画像処理途中の画像データを画像バッファ１１６に一時的に格納することにより、前フレームの撮影画像のデータに対する処理の終了を待たずに次フレームの撮像が可能に構成されている。
【００２５】
レンズ制御部５０１は、カメラボディ１０から通信インターフェイス５０５を介して入力されるレンズ制御情報に基づいて、フォーカス駆動制御部５０４へフォーカスモータ５２（図１）の駆動を指示する。また、レンズ制御部５０１は、後述する絞り制御部５０３からの絞り位置情報およびレンズデータ記憶部５０２に格納されているレンズデータをレンズ情報としてカメラボディ１０へ送信する。
【００２６】
フォーカス駆動制御部５０４はフォーカスモータ５２を駆動し、フォーカスレンズを光軸方向に進退駆動させる。これにより、撮影レンズ５０は主要被写体に合焦する。絞り制御部５０３は、カメラボディ１０側からの指示に応じて絞りユニット５３（図１）の絞りを駆動するとともに、当該絞りの位置を検出し、検出信号をレンズ制御部５０１を経由してカメラボディ１０側へ出力する。絞り制御部５０３は絞り係止装置（不図示）を有し、カメラボディ１０側からの指示に応じて駆動中の絞りを係止し、所定の絞り値で絞り駆動を停止させる。
【００２７】
レンズデータ記憶部５０２は、レンズ光学系５１の特性（開放Ｆ値、焦点距離など）を示すデータをあらかじめ格納し、カメラボディ１０側からの要求に応じて読み出しが可能に構成されている。
【００２８】
以上説明した一眼レフ電子カメラのシステム制御部１０１で行われるカメラ動作の処理について、図３および図４のフローチャートを参照して説明する。
＜静止画撮影＞
一眼レフ電子カメラのメインスイッチ（不図示）がオンされ、システム制御部１０１が電源部１０９にオンを指示するとプログラムが起動する。システム制御部１０１は、動画・静止画選択操作部材１０５から静止画撮影モードへのモード選択信号が入力されると図３による静止画撮影処理を開始する。
【００２９】
図３のステップＳ３０１において、システム制御部１０１はピント測定を測距制御演算部１０２に指示する。具体的には、デフォーカス量に基づいて合焦に必要なフォーカスレンズの移動量を算出させ、ステップＳ３０２へ進む。
【００３０】
ステップＳ３０２において、システム制御部１０１は被写体輝度測定を測光制御演算部１０３に指示してステップＳ３０３へ進む。ステップＳ３０３において、システム制御部１０１は、撮影制御値を算出するように測光制御演算部１０３に指示してステップＳ３０４へ進む。測光制御演算部１０３は、設定されている露出演算モードで露出演算を行い、撮影時の制御シャッター速度、制御絞り値を決定する。
【００３１】
ステップＳ３０４において、システム制御部１０１は、半押しスイッチＳＷ１がオンか否かを判定する。システム制御部１０１は、半押しスイッチＳＷ１からオン信号が入力されている場合にステップＳ３０４を肯定判定してステップＳ３０５へ進み、オン信号が入力されていない場合にはステップＳ３０４を否定判定し、ステップＳ３０１へ戻る。
【００３２】
ステップＳ３０５において、システム制御部１０１は撮影レンズ５０へレンズ駆動を指示する。具体的には、フォーカスレンズを合焦位置へ移動させるためのレンズ制御情報を通信インターフェイス１０６を介して撮影レンズ５０へ送信する。
【００３３】
ステップＳ３０６において、システム制御部１０１は合焦したか否かを判定する。システム制御部１０１は、測距制御演算部１０２で検出されるデフォーカス量が所定量以下の場合、ステップＳ３０６を肯定判定してステップＳ３０７へ進み、デフォーカス量が所定量を超えている場合にはステップＳ３０６を否定判定し、ステップＳ３０１へ戻る。測距制御演算部１０２によるデフォーカス量検出は、フォーカスレンズ駆動中も並行して行うように構成されている。
【００３４】
ステップＳ３０７において、システム制御部１０１は撮影レンズ５０へレンズ駆動の停止を指示してステップＳ３０８へ進む。本実施形態では、半押しスイッチＳＷ１がオフ後に再びオンされるまでレンズ駆動を停止し、合焦状態を保持する（ＡＦロック）ように構成される。
【００３５】
ステップＳ３０８において、システム制御部１０１は被写体輝度測定を測光制御演算部１０３に指示してステップＳ３０９へ進む。ステップＳ３０９において、システム制御部１０１は、撮影制御値の算出を測光制御演算部１０３に指示してステップＳ３１０へ進む。
【００３６】
ステップＳ３１０において、システム制御部１０１は、全押しスイッチＳＷ２がオンか否かを判定する。システム制御部１０１は、全押しスイッチＳＷ２からオン信号が入力されている場合にステップＳ３１０を肯定判定してステップＳ３１２へ進み、オン信号が入力されていない場合にはステップＳ３１０を否定判定し、ステップＳ３０８へ戻る。
【００３７】
ステップＳ３１２において、システム制御部１０１は撮影動作を制御してステップＳ３１３へ進む。具体的には、メインミラー１１を光路外（ポジションＢ）へ退避させ、絞りを制御絞り値まで絞り込むように撮影レンズ５０へ指示し、撮像素子１６に蓄積動作を開始させ、シャッター制御部１０７にシャッターを開かせる。システム制御部１０１はさらに、制御シャッター速度に対応する露光時間が経過後にシャッターを閉じさせ、撮像素子１６に蓄積動作を終了させるとともに、撮像素子１６から撮像信号を出力させる（画像取り込み）。取り込まれた画像データに画像処理、圧縮処理を施し、記録媒体６０へ記録させる。また、外部液晶１７に撮影画像を表示させる。
【００３８】
上記シャッター閉鎖後には、画像処理と並行して、メインミラー１１を光路上（ポジションＡ）に復帰させ、絞りを開放値まで復帰させるように撮影レンズ５０へ指示し、次のシャッター駆動の準備のためにシャッターチャージさせる。
【００３９】
ステップＳ３１３において、システム制御部１０１は、残容量演算部１１０に記録媒体６０の残記憶容量を算出させてステップＳ３１４へ進む。残記憶容量算出指示は、画像処理部１１２を介して送られる。ステップＳ３１４において、システム制御部１０１は記録媒体６０がフルか否かを判定する。システム制御部１０１は、残記憶容量が新たな撮影画像（静止画）の記録に必要な容量に満たない場合、ステップＳ３１４を肯定判定してステップＳ３１６へ進む。一方、システム制御部１０１は、残記憶容量が新たな撮影画像（静止画）の記録に必要な容量より多い場合、ステップＳ３１４を否定判定してステップＳ３１５へ進む。
【００４０】
ステップＳ３１５において、システム制御部１０１は、ファインダ液晶１９に撮影枚数（記録媒体６０の記録済み撮影画像数）および撮影残枚数（記録媒体６０へ新たに記録可能な撮影画像数）を表示させて図３による処理を終了する。ファインダ液晶１９への表示指示は、画像処理部１１２を介して送られる。
【００４１】
ステップＳ３１６において、システム制御部１０１は、ファインダ液晶１９にフル表示（記録媒体６０の残記憶容量が不足することを示す表示）させて図３による処理を終了する。ファインダ液晶１９への表示指示は、画像処理部１１２を介して送られる。
【００４２】
＜動画撮影＞
システム制御部１０１は、動画・静止画選択操作部材１０５から動画撮影モードへのモード選択信号が入力されると図４のフローチャートが示す動画撮影処理を開始する。本実施形態の一眼レフ電子カメラは、動画撮影モードが選択されている状態で全押しスイッチＳＷ２がオンされると動画撮影を開始し、全押しスイッチＳＷ２がオフ後に再オンされると動画撮影を停止する。図４のステップＳ４０１〜ステップＳ４１０の各処理は、それぞれ上述したステップＳ３０１〜ステップＳ３１０の各処理と同様であるので説明を省略する。
【００４３】
ステップＳ４１０を肯定判定して進むステップＳ４１１において、システム制御部１０１は撮影動作を制御してステップＳ４１２へ進む。具体的には、ＡＦロックを解除し、メインミラー１１を光路外（ポジションＢ）へ退避させ、絞りを制御絞り値まで絞り込むように撮影レンズ５０へ指示し、撮像素子１６に蓄積動作を開始させ、シャッター制御部１０７にシャッターを開かせる。動画撮影の場合の露光時間制御は、蓄積時間制御（いわゆる電子シャッター制御）によって行う。蓄積時間および制御絞り値は、後述する撮像信号を用いた輝度測定（ステップＳ４１２）結果を用いてフィードバック制御する。
【００４４】
システム制御部１０１はさらに、１フレームの蓄積時間が経過するごとに撮像素子１６から撮像信号を出力させ（画像取り込み）、取り込まれた画像データに画像処理、圧縮処理を施し、記録媒体６０へ記録させる。また、外部液晶１７に撮影画像を表示させる。これにより、フレーム画像が繰り返し撮影され、記録媒体６０に記録され、外部液晶１７に表示される。
【００４５】
ステップＳ４１２において、システム制御部１０１は撮影画像輝度測定を行ってステップＳ４１３へ進む。動画撮影時は被写体光が測光ユニット２０へ導かれないため、撮像素子１６による撮像信号を用いて被写体輝度を算出させる。
【００４６】
ステップＳ４１３において、システム制御部１０１はビデオフィードバックＡＦ制御を行う。具体的には、山登り方式と呼ばれる焦点検出方式によりフォーカス調節を行う。システム制御部１０１は、フォーカスレンズを光軸方向に進退駆動させながら、撮像素子１６から取り込まれる撮像信号の高周波数成分によるデータ、すなわち、焦点評価値が極大値をとるように合焦位置を検出する。
【００４７】
ステップＳ４１４において、システム制御部１０１は、残容量演算部１１０に記録媒体６０の残記憶容量を算出させてステップＳ４１５へ進む。残容量算出指示は、画像処理部１１２を介して送られる。ステップＳ４１５において、システム制御部１０１は撮影残時間が１分以上か否かを判定する。撮影残時間（予想動画撮影時間）は、たとえば、残記憶容量および画像処理部１１２による圧縮ビットレートを用いて算出する。システム制御部１０１は、残記憶容量が１分間の動画撮影画像の記録に必要な容量と等しいかそれ以上の場合、ステップＳ４１５を肯定判定してステップＳ４１６へ進む。一方、システム制御部１０１は、残記憶容量が１分間の動画撮影画像の記録に必要な容量より少ない場合、ステップＳ４１５を否定判定してステップＳ４１７へ進む。
【００４８】
ステップＳ４１７において、システム制御部１０１は、残無しか否かを判定する。システム制御部１０１は、残記憶容量が新たな撮影画像（動画）の記録に必要な容量に満たない場合、ステップＳ４１７を肯定判定してステップＳ４１９へ進む。ステップＳ４１７を肯定判定する場合は動画撮影の続行が不可能とみなす。一方、システム制御部１０１は、残記憶容量が新たな撮影画像（動画）の記録に必要な容量より多い場合、ステップＳ４１７を否定判定してステップＳ４１８へ進む。ステップＳ４１７を否定判定する場合は動画撮影の続行が可能とみなす。
【００４９】
ステップＳ４１６において、システム制御部１０１は、外部液晶１７に撮影残時間を点灯表示させてステップＳ４２０へ進む。この場合は、動画撮影の進行とともに、撮影残時間を逐次更新する。撮影残時間は、たとえば、撮影画像に重ねてオーバーレイ表示させる。
【００５０】
ステップＳ４１８において、システム制御部１０１は、外部液晶１７に撮影残時間を点滅表示させてステップＳ４２０へ進む。この場合にも、動画撮影の進行とともに、撮影残時間を逐次更新する。撮影残時間は、たとえば、撮影画像に重ねてオーバーレイ表示させる。
【００５１】
ステップＳ４１９において、システム制御部１０１は、外部液晶１７にフル表示（記録媒体６０の残記憶容量が不足することを示す表示）を点灯表示させてステップＳ４２４へ進む。フル表示は、たとえば、撮影画像に重ねてオーバーレイ表示させる。
【００５２】
ステップＳ４２０において、システム制御部１０１は、全押しスイッチＳＷ２が再オンされたか否かを判定する。システム制御部１０１は、全押しスイッチＳＷ２がオフ後に再びオンされた場合にステップＳ４２０を肯定判定してステップＳ４２３へ進み、再オンされていない場合にはステップＳ４２０を否定判定し、ステップＳ４２１へ進む。
【００５３】
全押しスイッチＳＷ２が再オンされていない場合に進むステップＳ４２１において、システム制御部１０１は、撮影レンズ５０の脱判定を行う。システム制御部１０１は、撮影レンズ５０との間で通信が未成立の場合にレンズ脱と判定（ステップＳ４２１を肯定判定）してステップＳ４２４へ進む。ステップＳ４２１を肯定判定する場合は動画撮影の続行が不可能とみなす。システム制御部１０１は、撮影レンズ５０との間で通信が成立する場合はステップＳ４２１を否定判定してステップＳ４１１へ戻る。ステップＳ４２１を否定判定する場合は動画撮影の続行が可能とみなす。
【００５４】
全押しスイッチＳＷ２が再オンされた場合に進むステップＳ４２３において、システム制御部１０１は静止画撮影モードへ変更操作されているか否かを判定する。システム制御部１０１は、動画・静止画選択操作部材１０５から静止画撮影モードへのモード選択信号が入力されている場合にステップＳ４２３を肯定判定してステップＳ４２５へ進み、動画撮影モードへのモード選択信号が入力されている場合にはステップＳ４２３を否定判定し、ステップＳ４２２へ進む。ステップＳ４２３を否定判定する場合は、動画撮影モードのままで、通常の動画撮影停止操作が行われた場合である。
【００５５】
ステップＳ４２２において、システム制御部１０１は、撮影レンズ５０にレンズ駆動を停止させてステップＳ４２４へ進む。
【００５６】
ステップＳ４２４において、システム制御部１０１は、シャッター制御部１０７にシャッターを閉じさせ、撮像素子１６に蓄積動作（撮像）を停止させるとともに、シャッター閉鎖後にはメインミラー１１を光路上（ポジションＡ）に復帰させ、絞りを開放値まで復帰させるように撮影レンズ５０へ指示し、次のシャッター駆動の準備のためにシャッターチャージさせて、図４による処理を終了する。
【００５７】
ステップＳ４２５へ進む場合は、動画撮影中に静止画撮影モードへ変更操作された場合である。この場合のシステム制御部１０１は、全押しスイッチＳＷ２の再オン（ステップＳ４２０）に応じて、ただちに静止画撮影モードへの移行動作を行う。ステップＳ４２５において、撮影レンズ５０にレンズ駆動を停止させてステップＳ４２６へ進む。
【００５８】
ステップＳ４２６において、システム制御部１０１は、シャッターを閉じさせ、撮像素子１６に蓄積動作（撮像）を停止させるとともに、シャッター閉鎖後にはメインミラー１１を光路上（ポジションＡ）に復帰させ、絞りを開放値まで復帰させるように撮影レンズ５０へ指示し、次のシャッター駆動の準備のためにシャッターチャージさせて、図４による処理を終了して図３（静止画撮影処理）のステップＳ３０１へ進む。
【００５９】
以上説明した実施形態によれば、次の作用効果が得られる。
（１）一眼レフ電子カメラのメインミラー１１をポジションＡにミラーダウンすると、撮影レンズ５０を通過した光束がメインミラー１１で遮断（反射）されて撮像素子１６へ導かれなくなる。撮影停止時に必ずメインミラー１１をポジションＡにミラーダウンさせることで、撮像素子１６（シャッター１４）がメインミラー１１で覆われるので、撮影レンズ５０がカメラボディ１０から外される場合には撮像素子１６（シャッター１４）をゴミなどの付着から保護できる。
【００６０】
（２）システム制御部１０１は、撮影レンズ５０がカメラボディ１０から外された場合（ステップＳ４２１を肯定判定）、動画撮影の続行が不可能と判定して動画撮影を停止させる。これにより、レンズ脱にもかかわらず動画撮影が継続され、記録媒体６０の残記憶容量が無駄に消費されることを防止できる。
【００６１】
（３）システム制御部１０１は、記録媒体６０の撮影残時間（予想動画撮影時間）がなくなった場合（ステップＳ４１７を肯定判定）、動画撮影の続行が不可能と判定して動画撮影を停止させる。これにより、撮影画像を保存できないにもかかわらず、動画撮影動作（いわゆる空写し）が継続されることを防止できる。
【００６２】
（４）システム制御部１０１は、記録媒体６０の撮影残時間が１分より少なくなった場合、外部液晶１７に動画撮影の続行不可能な状態を示す表示（撮影残時間の点滅）を行わせるようにしたので、ミラーダウン（および動画撮影を停止）させる前に撮影者に知らせることができる。また、動画撮影の進行とともに撮影残時間を逐次更新するので、リアルタイムに撮影者に知らせることができる。
【００６３】
（変形例１）
静止画撮影モードにおける撮影枚数および撮影残枚数の表示、フル表示をファインダ液晶１９に行わせる例を説明したが、ファインダ液晶１９の代わりに外部液晶１７に行わせたり、あるいはファインダ液晶１９および外部液晶１７の双方に行わせる構成にしてもよい。
【００６４】
（変形例２）
動画撮影モードにおける撮影残時間の表示、フル表示を外部液晶１７に行わせる例を説明したが、外部液晶１７の代わりにファインダ液晶１９に行わせたり、あるいはファインダ液晶１９および外部液晶１７の双方に行わせる構成にしてもよい。
【００６５】
（変形例３）
動画撮影モードにおける撮影残時間の表示は、撮影残時間が１分より少ない場合に点滅表示する例を説明したが、点滅表示に切り替える撮影残時間は２分でも３０秒でもよく、適宜設定してよい。
【００６６】
（変形例４）
動画撮影モードにおける撮影残時間の表示は、撮影残時間が所定時間（１分）以上ある場合に点灯表示する例を説明したが、撮影残時間が所定時間以上ある場合には撮影残時間を表示せず、撮影残時間が所定時間を割った時点から表示を開始する構成にしてもよい。
【００６７】
（変形例５）
上記点滅表示の代わりに、通常の撮影残時間の表示色（たとえば、黒色）と異なる表示色（たとえば、赤色）で点灯表示させてもよい。また、通常の撮影残時間の表示色と異なる表示色に変えた上で、点滅表示させてもよい。通常の撮影残時間の表示と異なる態様で表示させることで、撮影残時間が残り僅かであることを撮影者に警告することができる。
【００６８】
（変形例６）
動画撮影時の撮影残時間とともに、静止画撮影モードにおける撮影残枚数を表示する構成としてもよい。動画撮影中にも静止画撮影残枚数を表示することで、静止画撮影モードへ変更した場合に何枚撮影できるかを撮影者に知らせることができる。
【００６９】
（変形例７）
撮影レンズ５０の脱判定（ステップＳ４２１）をカメラボディ１０および撮影レンズ５０間の通信が成立するか否かに基づいて行うようにしたが、撮影レンズ５０の装着を検出する検出スイッチを設け、この検出スイッチからの検出信号に基づいて脱判定を行うように構成してもよい。
【００７０】
（変形例８）
撮影レンズ５０がカメラボディ１０から外される他に、記録媒体６０がカメラボディ１０から抜かれたり、カメラボディ１０が外部機器（たとえば、パソコン等）と有線接続されたり、カメラボディ１０が外部機器（たとえば、無線機器等）と無線接続されたりする場合にも、動画撮影の続行が不可能な状態と判定して動画撮影を停止させてもよい。これにより、外部操作に起因して動画撮影が不能であるにもかかわらず、動画撮影が継続されることを防止できる。
【００７１】
（変形例９）
上述した実施形態では、記録媒体６０の撮影残時間（予想動画撮影時間）がなくなった場合（ステップＳ４１７を肯定判定）を動画撮影の続行が不可能な状態と判定する例を説明した。この代わりに、撮影残時間が所定時間（たとえば、３０秒）となった時点を動画撮影の続行が不可能な状態と判定してもよい。この場合には、カメラ内部の要因で動画撮影の続行が不可能になることを事前に予測し、実際に記録媒体６０の撮影残時間が０になる前に動画撮影を停止できる。また、静止画の撮影残枚数や、記録媒体６０の残容量が所定値以下となった時点を動画撮影の続行が不可能な状態と判定してもよい。上述により、動画撮影停止後に静止画撮影モードへ変更する場合には、何コマかを静止画撮影し、撮影画像を記録媒体６０へ記録できる。
【００７２】
（変形例１０）
電池電圧の低下を検出し、検出電圧に応じて撮影残時間（電池の残容量）を算出する構成としてもよい。この場合のシステム制御部１０１は、電源部１０９により検出される電池電圧の低下に応じて撮影残時間を算出する。システム制御部１０１は、たとえば、残り５分の撮影残時間に対応する電圧まで電池電圧が低下すると、外部液晶１７もしくはファインダ液晶１９（あるいは双方）に電池マークを点滅表示させる。
【００７３】
変形例１０のシステム制御部１０１はさらに、電池マークを点滅表示させた以降も電池電圧が低下する場合、少なくともメインミラー１１をポジションＡにミラーダウンさせるために必要な電池の残容量を残して動画撮影を停止させる。この場合にも、カメラ内部の要因で動画撮影の続行が不可能になることを事前に予測し、ミラーダウンした上で動画撮影動作を停止できる。
【００７４】
以上の説明はあくまで一例であり、発明を解釈する上で、上記の実施形態の構成要素と本発明の構成要素との対応関係に何ら限定されるものではない。
【図面の簡単な説明】
【００７５】
【図１】本発明の一実施形態による一眼レフ電子カメラを説明する図である。
【図２】一眼レフ電子カメラの構成を説明するブロック図である。
【図３】システム制御部で行われる静止画撮影処理について説明するフローチャートである。
【図４】システム制御部で行われる動画撮影処理について説明するフローチャートである。
【符号の説明】
【００７６】
１０…カメラボディ
１１…メインミラー
１６…撮像素子
１７…外部液晶
１９…ファインダ液晶
５０…撮影レンズ
１０１…システム制御部
１０８…ミラー制御部
１１２…画像処理部
【図１】
0004650281.tif 000002
【図２】
0004650281.tif 000003
【図３】
0004650281.tif 000004
【図４】
0004650281.tif 000005